(57)【要約】【課題】  撮影される被写体画像の臨場感を向上させることによって、興趣の向上を図ることができる画像撮影装置を提供する。【解決手段】  画像撮影装置（１０）は、撮影スペース（１２）における被写体の動画像を撮影するＣＣＤビデオカメラ（４６）と、撮影スペース（１２）における音声を収集する集音マイク（１３８）とを備える。画像撮影装置（１０）は、被写体動画像と、背景動画像及び前景動画像に基づいて、合成動画像データを生成し、その合成動画像データと収集音声データとを同期させて、ＤＶＤ−Ｒ（６０）に記憶するとともに、静止画像をプリントシール（７０）に印刷する。【選択図】        図５
2005223513.tif 000002
【特許請求の範囲】
【請求項１】
被写体を収容する撮影スペースを有する撮影ブースと、
前記撮影スペースにおける被写体の動画像を撮影する撮影手段と、
前記撮影スペースにおける音声を収集する音声収集手段と、
所定の背景動画像データと所定の前景動画像データとが予め記憶されている装飾画像データ記憶手段と、
前記撮影手段によって撮影された被写体動画像と、前記装飾画像データ記憶手段に予め記憶されている前記背景動画像データ及び前記前景動画像データとに基づいて、合成動画像データを生成する動画像合成手段と、
前記動画像合成手段によって生成された前記合成動画像データと、前記音声収集手段によって収集された収集音声に基づく収集音声データとを同期させて、コンピュータによって読み取り可能な情報記憶媒体に記憶する記憶媒体記憶手段と、
前記動画像合成手段によって合成された合成動画像データに含まれる少なくとも１つの静止画像データに基づく静止画像を、前記情報記憶媒体に貼り付け可能な印刷媒体に印刷する印刷手段と、
前記情報記憶媒体と前記印刷媒体とを排出する排出手段とを備えたことを特徴とする画像撮影装置。
【請求項２】
請求項１に記載の画像撮影装置において、
前記撮影手段によって被写体動画像が撮影されている際に、前記動画像合成手段によって生成された前記合成動画像データに基づく合成動画像を逐次に表示する合成動画像表示手段を備えたことを特徴とする画像撮影装置。
【請求項３】
請求項１又は２に記載の画像撮影装置において、
前記撮影ブースは、当該撮影ブースの少なくとも一部の内方が特定の色であるものであり、
前記動画像合成手段は、前記撮影手段によって撮影された被写体動画像を、当該被写体動画像における前記特定の色を除いて、前記背景動画像データに基づく背景動画像に合成する機能を有することを特徴とする画像撮影装置。
【請求項４】
請求項１から３のいずれかに記載の画像撮影装置において、
前記動画像合成手段は、画像の透過度を示す要素を含む前景動画像データに基づく前景動画像、前記被写体動画像、前記背景動画像データに基づく背景動画像を合成する機能を有することを特徴とする画像撮影装置。
【請求項５】
請求項１から４のいずれかに記載の画像撮影装置において、
前記装飾画像データ記憶手段には、複数種類の背景動画像データと複数種類の前景動画像データとが予め記憶されており、
プレイヤによって操作可能な操作手段と、
前記撮影手段によって撮影された被写体動画像と前記動画像合成手段によって合成される複数種類の背景動画像データのいずれかと、複数種類の前景動画像データのいずれかとを前記操作手段の操作に応じて選択する装飾動画像選択手段とを備えたことを特徴とする画像撮影装置。
【請求項６】
請求項１から５のいずれかに記載の画像撮影装置において、
所定の装飾音声データが予め記憶されている装飾音声データ記憶手段と、
前記音声収集手段によって収集された収集音声に基づく収集音声データと、前記装飾音声データ記憶手段に予め記憶されている所定の装飾音声データとを合成音声データとして合成する音声合成手段とを備えたことを特徴とする画像撮影装置。
【請求項７】
請求項１から６のいずれかに記載の画像撮影装置において、
前記装飾音声データ記憶手段には、複数種類の装飾音声データが予め記憶されており、
プレイヤによって操作可能な操作手段と、
前記音声収集手段によって収集された収集音声と前記音声合成手段によって合成される複数種類の装飾音声データのいずれかを前記操作手段の操作に応じて選択する装飾音声選択手段とを備えたことを特徴とする画像撮影装置。
【請求項８】
請求項１から７のいずれかに記載の画像撮影装置は、ネットワーク上におけるサーバと通信可能であり、
前記動画像合成手段によって合成された合成動画像データを、前記サーバに対して送信する送信手段を有することを特徴とする画像撮影装置。
【発明の詳細な説明】
【技術分野】
【０００１】
本発明は、画像撮影装置に関し、撮影スペースにおける被写体の画像を撮影し、その画像を印刷する画像撮影装置に関するものである。
【背景技術】
【０００２】
従来、画像撮影装置は、被写体を収容する撮影スペースを備え、被写体画像を撮影し、撮影された被写体画像を静止画像として、プリントシールなどの印刷媒体に印刷する機能を有するものであり、手軽に画像をプリントシールとすることができるものとして知られている。この種の画像撮影装置においては、選択可能なフレーム、スタンプ、落書き等の静止画像処理などが実行され、各種の装飾が施されて印刷されるものが多く、更なる興趣が付与される傾向にあり、比較的若い利用者層を中心に広く利用されている。
【０００３】
この種の画像撮影装置では、例えば、特許文献１に示すように、音楽が再生されている間において所定のタイミングで一連の写真撮影を実行するなど、撮影時における各種の演出、プリントシールの装飾を行うものが開示されており、音楽を楽しみつつ写真撮影を行うとともに、音楽の雰囲気を損なうことなく利用者に写真撮影のタイミングを告知する。
【特許文献１】特開２００２−２４２２７０号公報
【発明の開示】
【発明が解決しようとする課題】
【０００４】
しかしながら、上述した画像撮影装置では、撮影された被写体の静止画像がプリントシールに印刷されるが、各種の装飾が施されるものの、斬新な装飾が施されておらず、面白味に欠けるという課題があった。特に、そのプリントシールを見せられる者にとっては、その場の臨場感などが伝わりにくいという傾向があり、その課題を解決することが望まれている。
【０００５】
本発明は、上述したような課題に鑑みてなされたものであり、撮影される被写体画像の臨場感を向上させることによって、興趣の向上を図ることができる画像撮影装置を提供することを目的とする。
【課題を解決するための手段】
【０００６】
以上のような目的を達成するために、本発明は、以下のようなものを提供する。
【０００７】
（１）  被写体を収容する撮影スペースを有する撮影ブースと、前記撮影スペースにおける被写体の動画像を撮影する撮影手段と、前記撮影スペースにおける音声を収集する音声収集手段と、所定の背景動画像データと所定の前景動画像データとが予め記憶されている装飾画像データ記憶手段と、前記撮影手段によって撮影された被写体動画像と、前記装飾画像データ記憶手段に予め記憶されている前記背景動画像データ及び前記前景動画像データとに基づいて、合成動画像データを生成する動画像合成手段と、前記動画像合成手段によって生成された前記合成動画像データと、前記音声収集手段によって収集された収集音声に基づく収集音声データとを同期させて、コンピュータによって読み取り可能な情報記憶媒体に記憶する記憶媒体記憶手段と、前記動画像合成手段によって合成された合成動画像データに含まれる少なくとも１つの静止画像データに基づく静止画像を、前記情報記憶媒体に貼り付け可能な印刷媒体に印刷する印刷手段と、前記情報記憶媒体と前記印刷媒体とを排出する排出手段とを備えたことを特徴とする画像撮影装置。
【０００８】
（１）に記載の発明によれば、撮影された動画像データと収集された音声データとが同期して記憶された情報記憶媒体と、撮影された静止画像が印刷された印刷媒体とが排出されるので、単なる静止画像のみが印刷される装置よりも、臨場感の溢れる画像、音声が認識可能となり、興趣の向上を図ることができる。また、このように撮影された被写体動画像データは、予め記憶されている背景動画像及び前景動画像と合成され、例えば、プロモーションビデオのように、斬新な演出が付加されるため、新たな興趣を提供することができる。また、上述した印刷媒体は、情報記憶媒体に貼り付け可能であり、その情報記憶媒体がコンピュータに読み取られていない状態であっても、従来の装置から排出される印刷媒体と同じような機能を有することとなり、動画像という新たな付加価値を提供することができる。もちろん、どのような動画像データが記憶されているか否かも容易に識別可能となり、簡便である。
【０００９】
（２）  （１）に記載の画像撮影装置において、前記撮影手段によって被写体動画像が撮影されている際に、前記動画像合成手段によって生成された前記合成動画像データに基づく合成動画像を逐次に表示する合成動画像表示手段を備えたことを特徴とする画像撮影装置。
【００１０】
（２）に記載の発明によれば、被写体動画像が撮影されている際において、被写体動画像を含む合成動画像を逐次に表示することができるので、例えば、撮影されている合成動画像を意識して演技などをすることができ、興趣の向上を図ることができる。
【００１１】
（３）  （１）又は（２）に記載の画像撮影装置において、前記撮影ブースは、当該撮影ブースの少なくとも一部の内方が特定の色であるものであり、前記動画像合成手段は、前記撮影手段によって撮影された被写体動画像を、当該被写体動画像における前記特定の色を除いて、前記背景動画像データに基づく背景動画像に合成する機能を有することを特徴とする画像撮影装置。
【００１２】
（３）に記載の発明によれば、被写体の背景となる画像を取り除いた被写体動画像を予め記憶されている背景動画像と合成することができるので、被写体を装飾することができる動画像を記憶でき、興趣の向上を図ることができる。
【００１３】
（４）  （１）から（３）のいずれかに記載の画像撮影装置において、前記動画像合成手段は、画像の透過度を示す要素を含む前景動画像データに基づく前景動画像、前記被写体動画像、前記背景動画像データに基づく背景動画像を合成する機能を有することを特徴とする画像撮影装置。
【００１４】
（４）に記載の発明によれば、被写体画像の前方に表示される前景動画像を、画像の透過度を示す要素を含むようにしたので、被写体画像を前方から装飾する際に、被写体画像を美観のよい動画像として加工することができ、興趣の向上を図ることができる。
【００１５】
（５）  （１）から（４）のいずれかに記載の画像撮影装置において、前記装飾画像データ記憶手段には、複数種類の背景動画像データと複数種類の前景動画像データとが予め記憶されており、プレイヤによって操作可能な操作手段と、前記撮影手段によって撮影された被写体動画像と前記動画像合成手段によって合成される複数種類の背景動画像データのいずれかと、複数種類の前景動画像データのいずれかとを前記操作手段の操作に応じて選択する装飾動画像選択手段とを備えたことを特徴とする画像撮影装置。
【００１６】
（５）に記載の発明によれば、複数種類の背景動画像データ、前景動画像データから、プレイヤの操作に応じて、所望とする背景動画像データ、前景動画像データを選択することができるので、プレイヤの趣向に応じた演出が可能となり、興趣の向上を図ることができる。
【００１７】
（６）  （１）から（５）のいずれかに記載の画像撮影装置において、所定の装飾音声データが予め記憶されている装飾音声データ記憶手段と、前記音声収集手段によって収集された収集音声に基づく収集音声データと、前記装飾音声データ記憶手段に予め記憶されている所定の装飾音声データとを合成音声データとして合成する音声合成手段とを備えたことを特徴とする画像撮影装置。
【００１８】
（６）に記載の発明によれば、撮影スペースにおいて収集された収集音声のみならず、予め記憶されている装飾音声を合成して、情報記憶媒体に記憶することができるため、斬新な演出ができ、興趣の向上を図ることができる。
【００１９】
（７）  （１）から（６）のいずれかに記載の画像撮影装置において、前記装飾音声データ記憶手段には、複数種類の装飾音声データが予め記憶されており、プレイヤによって操作可能な操作手段と、前記音声収集手段によって収集された収集音声と前記音声合成手段によって合成される複数種類の装飾音声データのいずれかを前記操作手段の操作に応じて選択する装飾音声選択手段とを備えたことを特徴とする画像撮影装置。
【００２０】
（７）に記載の発明によれば、複数種類の装飾音声データから、プレイヤの操作に応じて、所望とする装飾音声データを選択することができるので、プレイヤの趣向に応じた演出が可能となり、興趣の向上を図ることができる。
【００２１】
（８）  （１）から（７）のいずれかに記載の画像撮影装置は、ネットワーク上におけるサーバと通信可能であり、前記動画像合成手段によって合成された合成動画像データを、前記サーバに対して送信する送信手段を有することを特徴とする画像撮影装置。
【００２２】
（８）に記載の発明によれば、サーバに合成画像データを送信することができるので、例えば、その他の端末装置などから閲覧可能となるなど、画像撮影装置のみならず、利用範囲を広げることができ、簡便である。
【発明の効果】
【００２３】
この発明によれば、撮影された動画像データと収集された音声データとが同期して記憶された情報記憶媒体と、撮影された静止画像が印刷された印刷媒体とが排出されるので、単なる静止画像のみが印刷される装置よりも、臨場感の溢れる画像、音声が認識可能となり、興趣の向上を図ることができる。
【発明を実施するための最良の形態】
【００２４】
以下に、本発明に好適な一実施形態について図面に基づいて説明する。
【００２５】
［画像撮影装置の構成］
本実施形態における画像撮影装置１０の概観図を図１に示す。
【００２６】
画像撮影装置１０は、図１に示すように、撮影ブース１４と、各種の画像を撮影する撮影部１６とから構成される。
【００２７】
撮影ブース１４は、被写体を収容する撮影スペース１２を有する。この撮影スペース１２は、上述した撮影部１６の前面部１６Ａや、天井板１８、背面板２０などによって、外部のスペースと区切られている。また、撮影ブース１４は、画像撮影装置１０の側方が開放されており、撮影スペース１２に被写体を収容可能とする。また、画像撮影装置１０の側方は、カーテン２２によって区切られている。
【００２８】
また、天井板１８、背面板２０の内壁は、特定の色である。この特定の色とは、例えば、クロマキーブルー（青色）であり、撮影スペース１２における被写体が撮影部１６から撮影される際において、被写体以外の画像を抜き出して、被写体の画像のみを印刷、記録することができる。尚、撮影ブース１４は、その少なくとも一部の内方が特定の色であれば好ましく、動画像を撮影する際においてその背景が特定の色であれば最適である。また、撮影ブース１４は、天井板１８、背面板２０、カーテン２２などによって区切られているが、これに限らず、別の態様であってもよく、例えば、天井板１８、背面板２０などを設けることなく、カーテン２２などで区切られる撮影スペース１２を有するものであってもよい。
【００２９】
撮影部１６は、上述した撮影スペース１２における被写体の動画像を撮影し、各種の画像を表示するためのものである。撮影部１６は、その前面部１６Ａに、画像を視認可能とする表示領域３２を有する。また、この表示領域３２の下方には、各種の画像を表示するための液晶表示装置３４が設けられている。液晶表示装置３４の右側方には、コイン投入口３６が設けられている。液晶表示装置３４の下方には、ＤＶＤ−Ｒ６０、プリントシール７０など、各種の媒体を排出するための排出口３８が設けられている。
【００３０】
［撮影部の構成］
この撮影部１６について詳しく図２を用いて説明する。
【００３１】
撮影部１６は、図２に示すように、筐体４０に各種の装置が設けられている。
【００３２】
例えば、筐体４０の内部には、ＣＲＴモニタ４８が配設されている。このＣＲＴモニタ４８は、撮影している動画像など、各種の画像を表示するものである。また、このＣＲＴモニタ４８は、その表示領域４８ａが上方に向かうように配設されている。
【００３３】
ＣＲＴモニタ４８の上方には、ハーフミラー４４が配設されている。このハーフミラー４４は、上述したＣＲＴモニタ４８の表示領域４８ａに表示された画像を前方に反射させるとともに、後述するＣＤＤビデオカメラ４６による被写体画像の撮影を可能とするものである。
【００３４】
上述した表示領域３２に該当する箇所には、透過性のあるガラス板４２が筐体に配設されている。このため、ＣＲＴモニタ４８の表示領域４８ａに表示された画像が、ハーフミラー４４によって反射され、撮影スペース１２における被写体から視認可能となる。
【００３５】
ハーフミラー４４の後方には、撮影手段としてのＣＣＤビデオカメラ４６が配置されている。このＣＣＤビデオカメラ４６は、撮影スペース１２における被写体の動画像を、ハーフミラー４４を介して撮影し、その被写体画像を示す被写体画像信号を逐次に出力するものである。尚、本実施形態は、撮影スペース１２における被写体の全身画像を撮影するためのものであり、このＣＤＤビデオカメラ４６とは別に、撮影スペース１２における被写体の拡大画像を撮影するためのＣＤＤビデオカメラが配設されていてもよい。また、このようなＣＣＤビデオカメラを変位、回転可能に配設することによって、一つのＣＣＤビデオカメラで撮影する画像範囲が切り替えできるように構成してもよい。また、ＣＣＤビデオカメラ４６が配設される位置は、被写体を撮影可能な位置であれば別の位置であってもよい。
【００３６】
ガラス板４２の下方には、液晶表示装置３４が配設されている。詳しくは後述するが、この液晶表示装置３４は、各種の画像が表示される液晶ディスプレイ１２４（図３参照）や、液晶ディスプレイの表面が触接されたことなどを検知するタッチパネル１２２（図３参照）などで構成されている。
【００３７】
また、図２においては省略するが、液晶表示装置３４、ＣＣＤビデオカメラ４６、ＣＲＴモニタ４８などを制御するための制御装置１００（図３参照）や、画像を印刷するためのプリンタ１４０（図３参照）などが配設されている。
【００３８】
［画像撮影装置の電気的構成］
本実施形態における画像撮影装置１０の制御回路について図３を用いて説明する。図３は、本実施形態における画像撮影装置１０の制御回路を示すブロック図である。
【００３９】
画像撮影装置１０は、図３に示すように、制御手段としての制御装置１００や、制御装置１００によって制御される各種の周辺装置（図示せず）から構成されている。
【００４０】
制御装置１００は、ＣＰＵ１０２、ＲＯＭ（読み出し専用メモリ）１０４、ＲＡＭ（読み書き可能メモリ）１０６、ハードディスクドライブ１１２、ＤＶＤ−Ｒドライブ１１４などで構成されている。
【００４１】
ＣＰＵ１０２、ＲＯＭ１０４、ＲＡＭ１０６は、バス１０８に接続されている。ＣＰＵ１０２は、ＲＯＭ１０４や、後述するハードディスクドライブ１１２に記憶されたプログラムに従って、各種の処理を実行する機能を有する。このように、このＣＰＵ１０２は、後述する各種の手段として機能することとなる。ＲＯＭ１０４には、ＣＰＵ１０２により画像撮影装置１０を起動させるためのプログラムが記憶されている。また、ＲＡＭ１０６は、ＣＰＵ１０２の一時記憶領域として種々のフラグや変数の値を記憶する機能を有する。
【００４２】
また、バス１０８には、各種のインターフェイス（図中においてはＩ／Ｆと省略する）１１０が接続されている。各種のインターフェイス１１０は、ＣＰＵ１０２と、以下に説明する各種の周辺装置との間で制御を行うこととなる。
【００４３】
このような各種のインターフェイス１１０には、ハードディスクドライブ１１２、ＤＶＤ−Ｒドライブ１１４、各種の周辺装置などが接続されている。
【００４４】
ハードディスクドライブ１１２には、ＣＰＵ１０２により画像撮影装置１０の動作を制御するためのプログラムが記憶されている。また、このハードディスクドライブ１１２には、撮影した被写体の被写体動画像を装飾するための背景動画像データと、前景動画像データとが予め記憶されている。この背景動画像データは、被写体動画像の後方に表示される動画像データである。一方、この前景動画像データは、被写体動画像の前方に表示される動画像データである。尚、本実施形態におけるハードディスクドライブ１１２は、装飾画像データ記憶手段の一例に相当する。また、このハードディスクドライブ１１２には、撮影スペース１２において収集された音声を装飾するためのＢＧＭデータ（装飾音声データ）が予め記憶されている。言い換えると、このハードディスクドライブ１１２には、被写体動画像などの合成動画像と同期をとって再生されるＢＧＭデータが予め記憶されている。尚、本実施形態におけるハードディスクドライブ１１２は、装飾音声データ記憶手段の一例に相当する。また、このハードディスクドライブ１１２は、予め記憶されている背景動画像データ及び前景動画像データと、ＣＣＤビデオカメラ４６によって撮影された被写体動画像に基づく被写体動画像データとに基づいて、合成され、生成される合成動画像データを一時記憶するためのものであり、予め記憶されているＢＧＭデータと、後述する集音マイク１３８によって収集された収集音声に基づく収集音声データとに基づいて、合成され、生成された合成音声データを一時記憶するためのものである。
【００４５】
尚、本実施形態においては、ハードディスクドライブ１１２に、装飾動画像データ、ＢＧＭデータなどが記憶されるように構成したが、これに限らず、別の態様であってもよく、例えば、装飾動画像データ、ＢＧＭデータなどを記憶する記憶媒体を、後述する画像加工制御装置１２６や、音声制御装置１３６などに含ませるように構成してもよい。
【００４６】
ＤＶＤ−Ｒドライブ１１４は、ＤＶＤ−Ｒ６０（図４参照）などからデータを読み出したり、データを書き込んだりするものである。特に、ＤＶＤ−Ｒドライブ１１４は、上述した合成動画像データと合成音声データとを同期させてＤＶＤ−Ｒ６０など、コンピュータによって読み取り可能な情報記憶媒体に記憶するためのものである。つまり、ＤＶＤ−Ｒドライブ１１４などは、合成動画像データと合成音声データ（収集音声データを含むデータ）とを同期させて、コンピュータによって読み取り可能な情報記憶媒体に記憶する記憶媒体記憶手段の一例に相当する。また、このようにデータが記憶されたＤＶＤ−Ｒ６０などを排出することが可能である。つまり、本実施形態におけるＤＶＤ−Ｒドライブ１１４は、ＤＶＤ−Ｒ６０などを排出する排出手段の一例に相当する。尚、情報記憶媒体については詳しく後述する。
【００４７】
上述した制御装置１００には、インターフェイス１１０を介して、各種の周辺装置が接続されている。このような各種の周辺装置の一例としては、例えば、図３に示すように、液晶表示装置３４、画像加工制御装置１２６、ＣＲＴモニタ４８、照明装置１２８、音声出力装置１３０、コイン処理装置１３４、音声制御装置１３６、プリンタ１４０、カッティングプロッタ１４２などが含まれる。
【００４８】
液晶表示装置３４は、上述したように、撮影部１６の前面に配設されている。この液晶表示装置３４は、タッチパネル１２２と、液晶ディスプレイ１２４とから構成されている。このタッチパネル１２２は、プレイヤによって操作可能なものであり、液晶表示装置３４が触接された位置を検出するためのものであり、液晶表示装置３４が触接された場合には、その触接位置を示すデータを制御装置１００（ＣＰＵ１０２）に供給する。尚、被写体とは、画像を撮影する対象である。一方、プレイヤとは、自らの画像を撮影する者や、自らの画像を撮影しないが、他の人の画像を撮影する者などを含む概念である。また、液晶ディスプレイ１２４は、ＣＰＵ１０２の表示命令に応じて、各種の画像を表示することとなる。このような各種の画像については詳しく後述する。ＣＲＴモニタ４８は、ＣＰＵ１０２の画像表示命令に応じて、各種の画像を表示することとなる。このような各種の画像については詳しく後述する。音声出力装置１３０は、ＣＰＵ１０２の音声発生命令に応じて、各種の音声を発生することとなる。
【００４９】
画像加工制御装置１２６は、ＣＣＤビデオカメラ４６と接続されており、ＣＣＤビデオカメラ４６から供給される被写体動画像信号や、ＣＰＵ１０２から供給される装飾画像データなどに基づいて、合成動画像データを生成する機能を有する。特に、画像加工制御装置１２６は、ＣＣＤビデオカメラ４６から供給される被写体動画像信号に基づいて、クロマキー加工を施し、特定の色を除いた被写体動画像を生成することができる。また、装飾動画像データに含まれる前景動画像データは、透過度を示す要素（チャンネル、所謂「アルファチャンネル」）を含む動画像であり、被写体動画像を美観のよい動画像として加工制御することができ、興趣の向上を図ることができる。もちろん、この画像加工制御装置１２６は、各種の画像信号（アナログ）を各種の画像データ（デジタル）に変換するＡ／Ｄ変換機能、各種の画像データ（デジタル）を各種の画像信号（アナログ）に変換するＤ／Ａ変換機能などを有する。
【００５０】
尚、このような画像加工制御装置１２６は、一つの制御装置から構成されるが、これに限らず、複数の制御装置から構成されるものであってもよい。また、このような画像加工制御装置１２６を備えることなく、後述する画像加工制御装置１２６における機能をＣＰＵ１０２などによって実現するように構成してもよい。
【００５１】
音声制御装置１３６は、音声収集手段としての集音マイク１３８と接続されている。尚、集音マイク１３８は、上述した撮影スペース１２における音声を収集するものである。この音声制御装置１３６は、集音マイク１３８によって収音される収音音声に基づく収音音声信号を受け取り、その収集音声信号の所定周波数帯域を除去することによって、収集音声信号のノイズを除去した収音音声データとして変換する機能を有する。これによって、画像撮影装置１０がゲームセンターなど、騒音の激しい場所に設置された場合であっても、撮影スペース１２において被写体（プレイヤ）によって発生される音声を、聞き取りやすい音声として収集することができ、音声を聞く者の興趣を減退させることを防止することができる。
【００５２】
プリンタ１４０は、合成動画像に含まれる合成静止画像を印刷媒体に印刷する機能を有する。この印刷媒体は、貼り付け可能なもの（所謂、シール）であり、後述するように、情報記憶媒体に貼り付けることが可能となる。また、このプリンタ１４０は、合成静止画像が印刷された印刷媒体とを排出する機能も有する。つまり、本実施形態におけるプリンタ１４０は、印刷手段、排出手段の一例に相当する。カッティングプロッタ１４２は、印刷媒体を所定のサイズで切断する機能を有する。尚、印刷媒体については詳しく後述する。
【００５３】
［情報記憶媒体］
上述した情報記憶媒体について図４を用いて説明する。尚、ＤＶＤ−Ｒ６０を情報記憶媒体として採用した一例を以下に説明するが、ＤＶＤ−Ｒ６０でなくとも、コンピュータによって読み書き可能な情報記憶媒体であればよい。
【００５４】
本実施形態におけるＤＶＤ−Ｒ６０は、図４に示すように、一般に知られている８センチディスク５０よりも小さなサイズである。一般の８センチディスク５０は、その中央に開口５６が形成されている。そして、符号５２（図中において点線と実線を用いて表す）と符号５４によって区画された記憶領域に各種のデータが記憶される。本実施形態におけるＤＶＤ−Ｒ６０も、８センチディスク５０と同じように、その中央に開口５６が形成されている。そして、符号５８（図中において実線を用いて表す）と符号５４によって区画された記憶領域に各種のデータが記憶される。また、このような形状であっても、回転速度など、読み取る際に問題はない。このように、ＤＶＤ−Ｒ６０は、一般の８センチディスク５０よりも小さなサイズであり、例えば、手帳に挟むなど、持ち運びがよく、簡便である。尚、本実施形態においては、略名刺サイズのＤＶＤ−Ｒ６０を採用したが、形状などは問わず、持ち運びが容易な形状であることが好ましい。
【００５５】
尚、本実施形態においては、ＤＶＤ−Ｒ６０を用いたが、これに限らず、パーソナルコンピュータ、携帯電話機など、コンピュータによって読み取り可能な情報記憶媒体であればよい。例えば、フラッシュＲＯＭを備えたカード型の情報記憶媒体などであってもよい。
【００５６】
［印刷媒体］
上述した印刷媒体について図５を用いて説明する。尚、プリントシール７０を印刷媒体として採用した一例を以下に説明するが、プリントシール７０でなくとも、情報記憶媒体などに貼り付け可能な印刷媒体であればよい。
【００５７】
プリントシール７０は、図５に示すように、上述したＤＶＤ−Ｒ６０と同じサイズである。このプリントシール７０は、シール（図示せず）と台紙（図示せず）とから構成されている。
【００５８】
シールの表面には、合成動画像に含まれる少なくとも１つ以上の静止画像などが印刷される。この合成動画像は、上述したＣＣＤビデオカメラ４６によって撮像された被写体動画像と、背景動画像、前景動画像などを合成した動画像であり、その１つ以上が静止画像として印刷されることとなる。尚、本実施形態においては、１つ（１コマ）の静止画像が印刷されているが、これに限らず、別の態様であってもよく、例えば、複数の静止画像が印刷されるようにしてもよく、更には、それら複数の静止画像の同種、異種は問わない。また、シールの裏面は、貼り付け可能な状態となっており、剥ぎ取り可能に台紙に貼り付けられている。このシールは、符号７２に示すように、中央で円形に切断されており、上述したＤＶＤ−Ｒ６０の表面に貼り付けることによって、オリジナルのＤＶＤ−Ｒ８０が作成可能である。
【００５９】
このように画像が表示されることによって、複数種類の背景動画像データ、前景動画像データから、プレイヤの操作に応じて、所望とする背景動画像データ、前景動画像データを選択することができるので、プレイヤの趣向に応じた演出が可能となり、興趣の向上を図ることができる。また、被写体画像の前方に表示される前景動画像を、画像の透過度を示す要素を含むようにしたので、被写体画像を前方から装飾する際に、被写体画像を美観のよい動画像として加工することができ、興趣の向上を図ることができる。更には、撮影スペースにおいて収集された収集音声のみならず、予め記憶されている装飾音声を合成して、情報記憶媒体に記憶することができるため、斬新な演出ができ、興趣の向上を図ることができる。更にまた、複数種類の装飾音声データから、プレイヤの操作に応じて、所望とする装飾音声データを選択することができるので、プレイヤの趣向に応じた演出が可能となり、興趣の向上を図ることができる。
【００６０】
［表示画面の説明］
上述した液晶表示装置３４に表示される画像について図６から図１１を用いて説明する。
【００６１】
画像撮影装置１０におけるコイン投入口３６から所定のコインが投入された場合には、図６に示すように、装飾動画像選択画面が表示される。装飾動画像とは、上述した被写体動画像の前後に表示される装飾用の動画像であり、具体的には、背景動画像、前景動画像などによって構成される。この装飾動画像選択画面には、複数種類の装飾動画像８１が表示される。そして、装飾動画像８１のうちのいずれかが触接されることによって、指定装飾動画像８２として動画像が表示される。例えば、装飾動画像８１Ａが触接された場合には、その装飾動画像８１Ａが指定装飾動画像８２として表示される。そして、コントロールボタン８３が触接されることによって、選択された装飾動画像が再生される。尚、本実施形態において、通常時には、後ボタン、前ボタン、停止ボタン、再生ボタンが表示され、再生時には、停止ボタンの代わりに一時停止ボタンが表示されることとなる。また、このような表示の他にも、装飾動画像選択画面の右側方に表示されている一覧表示ボタン８４、テーマ別表示ボタン８５が触接されることによって、装飾動画像８１の表示態様が変更される。また、装飾動画像選択画面の右側方には、ランダム選択ボタン８６が表示されており、ランダム選択ボタン８６が触接されることによって、装飾動画像がランダムに選択される。また、装飾動画像選択画面の下方には、前ページボタン８７、次ページボタン８８、決定ボタン８９が表示されている。前ページボタン８７、次ページボタン８８が触接されることによって、表示されている装飾動画像のページ切替が行われる。また、決定ボタン８９が触接されることによって、上述した指定装飾動画像８２として選択された装飾動画像が、被写体動画像と合成されるように決定される。つまり、操作手段としてのタッチパネルの操作に応じて、複数種類の装飾動画像からいずれかが選択されることとなる。尚、以下に説明する画面において、同じような機能を有する場合には、説明を省略する。
【００６２】
このように装飾動画像が選択された後には、図７に示すように、ＢＧＭ選択画面が表示される。このＢＧＭ選択画面には、複数種類の曲名を含む曲名ボタン９１が表示される。この曲名ボタン９１が触接されることによって、ＢＧＭの選択が行われる。また、曲名ボタン９１の上方には、装飾動画像選択画面で選択された指定装飾動画像８２が表示されている。また、指定装飾動画像８２の左側方には、上述したコントロールボタン８３が表示されており、コントロールボタン８３が触接された場合には、指定装飾動画像８２と選択されたＢＧＭとが同期して再生される。例えば、曲名Ａ９１Ａが選択されている状態で、再生ボタンが触接された場合には、指定装飾動画像８２と曲名Ａとが同期して再生されることとなる。これによって、指定装飾動画像８２とＢＧＭとの同期再生を試すことができる。また、このＢＧＭ選択画面においては、装飾動画像選択画面と同じように、一覧表示ボタン８４、テーマ別表示ボタン８５、ランダム選択ボタン８６、前ページボタン８７、次ページボタン８８、決定ボタン８９が表示されている他、戻るボタン９０が表示されている。この戻るボタン９０が触接された場合には、前の装飾動画像選択画面に戻ることとなる。また、決定ボタン８９が触接された場合には、触接された曲名ボタン９１のいずれかがＢＧＭとして決定される。つまり、操作手段としてのタッチパネルの操作に応じて、複数種類のＢＧＭ（装飾音声）からいずれかが選択されることとなる。
【００６３】
このようにＢＧＭが選択された後には、図１０に示すように、撮影操作画面が表示される。この撮影操作画面においては、撮影開始ボタン９３、撮影終了ボタン９４、ＤＶＤ化ボタン９５が表示されている。撮影開始ボタン９３が触接された場合には、撮影が開始され、その撮影された被写体動画像が含まれる合成動画像９２が液晶表示装置３４に表示される。また、撮影終了ボタン９４が触接された場合には、１回分の撮影を終了する。撮影が終了した場合には、コントロールボタン８３の触接によって、撮影された被写体動画像を含む合成動画像を再生することができ、プレイヤによって合成動画像を確認可能となる。尚、合成動画像の再生時においては、その再生スピードが通常時よりも速いクイック再生が行われる。例えば、通常時における再生時間が約２分から３分である場合には、約１分から１分３０秒で合成動画像の再生が可能となる。また、合成動画像の再生時においては、合成動画像と同期する合成音声（予め記憶されている装飾音声と、集音マイク１３８によって収集された収集音声に基づいて合成され、生成された音声）が再生される。尚、合成音声は、その周波数が変調されて再生されるので、クイック再生した場合であっても、通常通りの音程で（収集された収集音声などの音程を変更することなく）再生されることとなる。これによって、通常よりも短い間に合成動画像、合成音声が同期して再生可能となる。また、ＤＶＤ化ボタン９５が触接された場合には、全ての撮影を終了し、その合成動画像がＤＶＤ−Ｒ６０などの情報記憶媒体に記憶されることとなる。
【００６４】
また、合成動画像９２の側方には、記憶された合成動画像、合成音声などのデータサイズを示す記憶容量インジケータ９６が表示されている。この記憶容量インジケータ９６は、ＤＶＤ−Ｒ６０に記憶可能なデータサイズを示すものであり、所定時間（例えば、約２〜３分）の合成動画像、合成音声などを上限としている。尚、本実施形態においては、記憶容量が上限となった場合には、自動的に撮影不可能な状態となるように構成したが、これに限らず、別の態様であってもよく、例えば、編集メニューによって、ＤＶＤ−Ｒ６０に記憶する合成動画像などを編集し、又は、選択するように構成してもよい。また、記憶容量インジケータ９６の下方には、撮影回数の限度を示す撮影回数マーク９７が表示されている。例えば、本実施形態においては、最大３回の被写体動画像の撮影（例えば、撮影開始ボタン９３が触接されてから撮影終了ボタン９４が触接されるまでを１回の撮影とする）が可能であり、被写体動画像が上限回数（例えば、３回）撮影された場合には、自動的に撮影不可能な状態となる。尚、本実施形態においては、被写体動画像が上限回数撮影された場合には、自動的に撮影不可能な状態となるように構成したが、これに限らず、別の態様であってもよく、例えば、被写体動画像の上限回数を設けなくてもよい。このように、本実施形態においては、撮影終了ボタン９４が触接された、記憶容量の上限を超えた、３回の撮影が終了したという条件のうち少なくとも一つ以上が成立した場合に、撮影不可能な状態となる。もちろん、その後は、コントロールボタン８３の触接操作によって、記憶された合成動画像が再生可能であり、ＤＶＤ化ボタン９５が触接された場合には、撮影終了条件が成立したと判定され、撮影が終了することとなる。
【００６５】
また、上述したように撮影が開始された場合について詳しく説明するが、動画像の撮影が開始される旨を報知するためのカウントダウン表示が行われる。そして、動画像の撮影時においては、図８に示すように、撮影スペース１２における被写体動画像と、背景動画像と、前景動画像とが合成動画像として合成される。尚、この合成動画像は、合成動画像表示手段としてのＣＲＴモニタ４８に逐次に（リアルタイムで）表示される。即ち、ＣＲＴモニタ４８は、ＣＣＤビデオカメラ４６によって被写体動画像が撮影されている際に、生成された合成動画像データに基づく合成動画像を逐次に表示する機能を有することとなる。これによって、撮影されている動画像を確認しながら撮影を行うことができる。また、この際には、背景動画像（例えば、図８中における植物を示す画像）、前景動画像（例えば、図８中における円形状の画像）など、装飾動画像の表示タイミング、表示位置を確認しながら撮影ができるため、前景動画像として表示されている画像を被写体が触れるような行動がとれるなど、背景動画像、前景動画像を意識した動画像の撮影が可能となり、興趣の向上を図ることができる。また、前景動画像には、透過度を示す要素を含む動画像であるため、被写体動画像を美観のよい動画像として撮影ができ、興趣の向上を図ることができる。また、図８に示すような場合には、被写体の全身画像が撮影され、撮影された被写体動画像などがＣＲＴモニタ４８に表示されることとなるが、図９に示すように、被写体の拡大画像を撮影することもできる。尚、複数のＣＣＤビデオカメラを用いて、複数の動画像を撮影することができる構成の場合には、ＣＲＴモニタ４８に複数の動画像を表示する構成としてもよい。
【００６６】
このように、合成動画像の確認が終了した後には、図１１に示すように、プリント画像選択画面が表示される。このプリント画像選択画面においては、編集後の合成動画像（編集していない合成動画像も含む）に含まれる一又は複数コマの合成静止画像のなかから、プリントシール７０に印刷する合成静止画像を選択することとなる。右側方のプリントレイアウト９８が触接された場合には、プリントシール７０に印刷する合成静止画像の印刷枚数、印刷位置などが選択可能となる。また、コントロールボタン８３の触接によって、合成動画像がクイック再生される。そして、再生中や、一時停止中において、決定ボタン８９が触接された場合には、その時点で再生されていた合成動画像（つまりは、その時点における合成静止動画像）９９が印刷される印刷媒体として選択され、撮影が終了する。このように選択、撮影された合成動画像、合成音声が、ＤＶＤ−Ｒ６０などの情報記憶媒体に記憶されるとともに、選択された合成静止画像が、プリントシール７０などの印刷媒体に印刷される。そして、このような処理が終了した場合には、情報記憶媒体、印刷媒体が排出される。尚、本実施形態においては、合成動画像９９は、印刷媒体に印刷される状態で表示され、例えば、図１１に示すように、プリントシール７０に印刷されない部分や、ＤＶＤ−Ｒ６０に貼り付け不可能な部分などが黒塗りになっており、プリントシール７０など、印刷される印刷媒体の印刷態様が事前に表示されることとなり、所望の静止画像の印刷態様を確認することができる。
【００６７】
［画像撮影装置の動作］
以下に、画像撮影装置１０で実行される処理について図１２から図１４を用いて説明する。
【００６８】
［メイン処理］
最初に、図１２に示すように、ＣＰＵ１０２は、ＲＡＭアクセス許可、作業領域を初期化等、各種の初期設定処理を実行する（ステップＳ１１）。そして、ＣＰＵ１０２は、デモ実行処理を実行する（ステップＳ１２）。この処理において、ＣＰＵ１０２は、液晶ディスプレイ１２４、ＣＲＴモニタ４８にデモ画面を表示させるためのデータを供給するとともに、音声出力装置１３０にデモ音声を発生させる信号を供給する。そして、ＣＰＵ１０２は、コイン投入口３６から所定のコインが投入された場合など、所定の開始条件が成立したか否かを判断する（ステップＳ１３）。ＣＰＵ１０２は、所定の開始条件が成立したと判別した場合には、ステップＳ１４に処理を移し、所定の開始条件が成立しなかったと判別した場合には、再度ステップＳ１２に処理を移し、デモが繰り返し実行されることとなる。
【００６９】
ステップＳ１４において、ＣＰＵ１０２は、装飾動画像選択画面表示処理を実行する。この処理において、ＣＰＵ１０２は、液晶ディスプレイ１２４に装飾動画像選択画面を表示させるためのデータを供給する。また、ＣＰＵ１０２は、タッチパネル１２２から供給される所定の触接信号に応じて、装飾動画像（背景動画像、前景動画像など）を液晶ディスプレイ１２４などに表示させるためのデータを行う場合がある。そして、ＣＰＵ１０２は、装飾動画像の選択が終了したか否かを判断する（ステップＳ１５）。ＣＰＵ１０２は、装飾動画像の選択が終了したと判別した場合には、装飾動画像指定データをＲＡＭ１０６の所定領域にセットし（ステップＳ１６）、ステップＳ１７に処理を移す。つまり、ＣＰＵ１０２は、ＣＣＤビデオカメラ４６によって撮影された被写体動画像と合成される背景動画像（複数種類の背景動画像データのいずれか）及び前景動画像（複数種類の前景動画像データのいずれか）をタッチパネル１２２の操作に応じて選択することとなる。尚、ステップＳ１６を実行するＣＰＵ１０２などは、装飾動画像選択手段の一例に相当する。一方、ＣＰＵ１０２は、装飾動画像の選択が終了していなかと判別した場合には、再度ステップＳ１４に処理を移し、装飾動画像選択画面を繰り返し表示させることとなる。
【００７０】
ステップＳ１７において、ＣＰＵ１０２は、ＢＧＭ選択画面表示処理を実行する。この処理において、ＣＰＵ１０２は、液晶ディスプレイ１２４にＢＧＭ選択画面を表示させるためのデータを供給する。また、ＣＰＵ１０２は、タッチパネル１２２から供給される所定の触接信号に応じて、ステップＳ１６においてセットされた装飾動画像（背景動画像、前景動画像など）を液晶ディスプレイ１２４などに表示させるとともに、ＢＧＭをスピーカ１３２から発生させる信号を行う場合がある。そして、ＣＰＵ１０２は、ＢＧＭの選択が終了したか否かを判断する（ステップＳ１８）。ＣＰＵ１０２は、ＢＧＭの選択が終了したと判別した場合には、ＢＧＭ指定データをＲＡＭ１０６の所定領域にセットし（ステップＳ１９）、図１３のステップＳ２０に処理を移す。つまり、ＣＰＵ１０２は、集音マイク１３８によって収集された収集音声と合成されるＢＧＭ（複数種類の装飾音声データのいずれか）をタッチパネル１２２の操作に応じて選択することとなる。尚、ステップＳ１９を実行するＣＰＵ１０２などは、装飾音声選択手段の一例に相当する。一方、ＣＰＵ１０２は、装飾動画像の選択が終了していなかと判別した場合には、再度ステップＳ１７に処理を移し、装飾動画像選択画面を繰り返し表示させることとなる。
【００７１】
ステップＳ２０において、ＣＰＵ１０２は、図１３に示すように、所定の撮影開始操作があったか否かを判断する。この処理において、ＣＰＵ１０２は、撮影開始ボタン９３の触接操作に応じて、所定の撮影開始操作があったと判別した場合には、画像加工制御装置１２６に対して被写体動画像の撮影を開始する旨の命令を供給するとともに、カウントダウン画像などを表示させるためのデータを液晶ディスプレイ１２４に供給する。ステップＳ２１に処理を移す。これによって、画像加工制御装置１２６は、ＣＣＤビデオカメラ４６から逐次供給されている被写体の画像信号を受け取り、各種の処理を実行することとなる。一方、ＣＰＵ１０２は、所定の撮影開始操作がなかったと判別した場合には、ステップＳ２７に処理を移す。尚、ＣＰＵ１０２は、撮影回数が所定回数に至った場合や、合成動画像、合成音声などのデータサイズが上限に至って場合などにおいては、撮影開始ボタン９３の触接操作があった場合であっても、撮影開始操作がなかったものと認識することとなる。
【００７２】
ステップＳ２１において、ＣＰＵ１０２は、装飾動画像供給処理を実行する。この処理において、ＣＰＵ１０２は、ステップＳ１６においてセットされた装飾動画像指定データに基づく装飾動画像データ（背景動画像データ及び前景動画像データ）をハードディスクドライブ１１２から読み出し、画像加工制御装置１２６に供給する。
【００７３】
また、画像加工制御装置１２６は、装飾動画像データを受け取る。また、画像加工制御装置１２６は、ＣＣＤビデオカメラ４６から供給される被写体動画像信号を受け取り、その被写体動画像信号に基づく被写体動画像データと、装飾動画像データとを合成動画像データとして生成し、ＣＰＵ１０２に供給する。
【００７４】
具体的な一例としては、画像加工制御装置１２６は、被写体動画像信号に基づいて、特定の色を抜き取った被写体動画像データを生成する。これによって、撮影ブース１４における撮影された動画像のうち、被写体と認識される動画像を抽出することとなる。また、画像加工制御装置１２６は、背景動画像データ、特定の色を抜き取った被写体動画像データ、前景動画像データに基づいて、合成動画像データとして合成する（背景動画像データ、特定の色を抜き取った被写体動画像データ、前景動画像データに基づく信号の合成を行い、合成動画像データを生成する）。このように制御することによって、合成処理などを実行することによる負荷を少なくすることができ、撮影された動画像を合成し、合成動画像の表示の遅延を少なくすることができる。
【００７５】
従って、ＣＰＵ１０２、画像加工制御装置１２６は、ＣＣＤビデオカメラ４６によって撮影された被写体動画像と、ハードディスクドライブ１１２に予め記憶されている背景動画像データ及び前景動画像データとに基づいて、合成動画像データを生成することとなる。また、ＣＰＵ１０２、画像加工制御装置１２６は、ＣＣＤビデオカメラ４６によって撮影された被写体動画像を、当該被写体動画像における特定の色を除いて、背景動画像データに基づく背景動画像に合成することとなる。更には、ＣＰＵ１０２、画像加工制御装置１２６は、画像の透過度を示す要素を含む前景動画像データに基づく前景動画像、被写体動画像、背景動画像データに基づく背景動画像を合成することとなる。尚、ステップＳ２１を実行するＣＰＵ１０２、画像加工制御装置１２６は、動画像合成手段の一例に相当する。この処理が終了した場合には、ステップＳ２２に処理を移す。
【００７６】
ステップＳ２２において、ＣＰＵ１０２は、ＢＧＭ供給処理を実行する。この処理において、ＣＰＵ１０２は、ステップＳ１９においてセットされたＢＧＭ指定データに基づくＢＧＭデータをハードディスクドライブ１１２から読み出し、音声制御装置１３６に供給する。
【００７７】
また、音声制御装置１３６は、ＢＧＭデータを受け取る。また、音声制御装置１３６は、集音マイク１３８から供給される収音音声信号を受け取り、その収音音声信号を収集音声データに変換する。そして、音声制御装置１３６は、ＣＰＵ１０２から受け取ったＢＧＭ音声データと、収集音声データとを合成音声データとして合成し、ＣＰＵ１０２に供給する。つまり、ＣＰＵ１０２、音声制御装置１３６は、集音マイク１３８によって収集された収集音声に基づく収集音声データと、ハードディスクドライブ１１２に予め記憶されているＢＧＭデータ（所定の装飾音声データ）とを合成音声データとして合成することとなる。尚、ステップＳ２２を実行するＣＰＵ１０２、音声制御装置１３６などは、音声合成手段の一例に相当する。この処理が終了した場合には、ステップＳ２３に処理を移す。
【００７８】
ステップＳ２３において、ＣＰＵ１０２は、合成動画像記憶処理を実行する。この処理において、ＣＰＵ１０２は、画像加工制御装置１２６によって合成された合成動画像データを受け取り、ハードディスクドライブ１１２に記憶する。つまり、ＣＰＵ１０２は、ステップＳ２１において装飾動画像データを供給することによって、被写体動画像データを含む合成動画像データを受け取ることとなる。この処理が終了した場合には、ステップＳ２４に処理を移す。
【００７９】
ステップＳ２４において、ＣＰＵ１０２は、合成音声記憶処理を実行する。この処理において、ＣＰＵ１０２は、音声制御装置１３６によって合成された合成音声データを受け取り、ハードディスクドライブ１１２に記憶する。つまり、ＣＰＵ１０２は、ステップＳ２２においてＢＧＭデータを供給することによって、収音音声データを含む合成音声データを受け取ることとなる。この処理が終了した場合には、ステップＳ２５に処理を移す。
【００８０】
ステップＳ２５において、ＣＰＵ１０２は、合成動画像表示処理を実行する。この処理において、ＣＰＵ１０２は、ステップＳ２３において記憶された合成動画像データなど、合成動画像を表示させるための情報をＣＲＴモニタ４６に供給する。これによって、ＣＲＴモニタ４６は、合成動画像を再生（表示）することとなる。この処理が終了した場合には、ステップＳ２６に処理を移す。
【００８１】
ステップＳ２６において、ＣＰＵ１０２は、撮影終了操作があったか否かを判断する。この処理において、ＣＰＵ１０２は、撮影終了ボタン９４の触接などに応じて、撮影終了操作があったと判別した場合には、画像加工制御装置１２６に対して被写体動画像の撮影を終了する旨の命令を供給し、ステップＳ２７に処理を移す。尚、ＣＰＵ１０２は、撮影終了ボタン９４の触接だけでなく、合成動画像、合成音声などのデータサイズが上限に至って場合などにおいても、撮影終了操作があったものと認識することとなる。一方、ＣＰＵ１０２は、所定の撮影終了条件が成立しなかったと判別した場合には、再度ステップＳ２１に処理を移し、上述した処理を繰り返し行うこととなる。
【００８２】
ステップＳ２７において、ＣＰＵ１０２は、再生操作などがあったか否かを判断する。この処理において、ＣＰＵ１０２は、コントロールボタン８３などの触接操作に応じて、再生操作などがあったと判別した場合には、ハードディスクドライブ１１２に記憶された合成動画像データと、合成音声データとに基づいて、液晶ディスプレイ１２４、音声出力装置１３０などに対して、合成動画像及び合成音声をクイック再生させる制御を行い（ステップＳ２８）、ステップＳ２９に処理を移す。一方、ＣＰＵ１０２は、再生操作などがなかったと判別した場合には、ステップＳ２９に処理を移す。
【００８３】
ステップＳ２９において、ＣＰＵ１０２は、撮影終了条件が成立したか否かを判断する。この処理において、ＣＰＵ１０２は、ＤＶＤ化ボタン９５の触接操作に応じて、撮影終了条件が成立したと判別した場合には、図１４のステップＳ３１に処理を移す。一方、ＣＰＵ１０２は、撮影終了条件が成立していないと判別した場合には、再度ステップＳ２０に処理を移し、繰り返し上述した処理を行うこととなる。
【００８４】
ステップＳ３１において、ＣＰＵ１０２は、図１４に示すように、印刷静止画像が選択されたか否かを判断する。この処理において、ＣＰＵ１０２は、プリント画像選択画面を表示させるためのデータを液晶ディスプレイ１２４に供給する。そして、ＣＰＵ１０２は、タッチパネル１２２から供給される所定の触接信号に応じて、印刷する合成静止画像が選択されたと判別した場合には、印刷する合成静止画像を指定するための印刷静止画像指定データをＲＡＭ１０６の所定領域にセットし（ステップＳ３２）、ステップＳ３３に処理を移す。一方、ＣＰＵ１０２は、印刷する合成静止画像が選択されたと判別した場合には、再度ステップＳ３１に処理を移し、印刷する静止画像の選択の待ち受けを繰り返し行うこととなる。
【００８５】
ステップＳ３３において、ＣＰＵ１０２は、情報記憶媒体記憶処理を実行する。この処理において、ＣＰＵ１０２は、ステップＳ２３において記憶された合成動画像データと、ステップＳ２４において記憶された合成音声データとを同期させてＤＶＤ−Ｒ６０に記憶させるためのデータ（例えば、合成動画像データと合成音声データとをＭＰＥＧ２方式などで同期させてＤＶＤ−Ｒ６０に記憶させるためのデータ）をＤＶＤ−Ｒドライブ１１４に供給する。これによって、ＤＶＤ−Ｒドライブ１１４は、合成動画像データと合成音声データとを同期させてＤＶＤ−Ｒ６０に記憶することとなる。尚、ステップＳ３３を実行するＣＰＵ１０２などは、記憶媒体記憶手段の一例に相当する。この処理が終了した場合には、ステップＳ３４に処理を移す。
【００８６】
ステップＳ３４において、ＣＰＵ１０２は、印刷処理を実行する。この処理において、ＣＰＵ１０２は、ステップＳ３２においてセットされた印刷静止画像指定データに基づく合成静止画像データを、合成動画像データから抽出する。そして、ＣＰＵ１０２は、抽出した合成静止画像データに基づく合成静止画像をプリントシール７０などの印刷媒体に印刷させる命令をプリンタ１４０に供給する。これによって、プリンタ１４０は、合成静止画像を印刷媒体に印刷することとなる。尚、ステップＳ３５を実行するＣＰＵ１０２などは、印刷手段の一例に相当する。この処理が終了した場合には、ステップＳ３５に処理を移す。
【００８７】
ステップＳ３５において、ＣＰＵ１０２は、情報記憶媒体、印刷媒体の排出処理を実行する。この処理において、ＣＰＵ１０２は、合成動画像データ、合成音声データが記憶されたＤＶＤ−Ｒ６０などの情報記憶媒体を排出する命令を、ＤＶＤ−Ｒドライブ１１４に供給する。これによって、ＤＶＤ―Ｒドライブ１１４は、合成動画像データ、合成音声データが記憶された情報記憶媒体を排出することとなる。そして、ＣＰＵ１０２は、合成動画像データに含まれる合成静止画像データに基づく静止画像が印刷されたプリントシール７０などの印刷媒体を排出する命令をプリンタ１４０に供給する。これによって、プリンタ１４０は、静止画像が印刷された印刷媒体を排出することとなる。この処理が終了した場合には、ステップＳ１２に処理を移す。
【００８８】
このように制御することによって、撮影された動画像データと収集された音声データとが同期して記憶された情報記憶媒体と、撮影された静止画像が印刷された印刷媒体とが排出されるので、単なる静止画像のみが印刷される装置よりも、臨場感の溢れる画像、音声が認識可能となり、興趣の向上を図ることができる。また、このように撮影された被写体動画像データは、予め記憶されている背景動画像及び前景動画像と合成され、例えば、プロモーションビデオのように、斬新な演出が付加されるため、新たな興趣を提供することができる。また、上述した印刷媒体は、情報記憶媒体に貼り付け可能であり、その情報記憶媒体がコンピュータに読み取られていない状態であっても、従来の装置から排出される印刷媒体と同じような機能を有することとなり、動画像という新たな付加価値を提供することができる。もちろん、どのような動画像データが記憶されているか否かも容易に識別可能となり、簡便である。
【００８９】
尚、本実施形態においては、合成動画像データの再編集を行わないように構成したが、これに限らず、被写体の被写体動画像の撮影が終了した後に、被写体動画像データを含む合成動画像データの再編集を行うように構成してもよい。また、本実施形態においては、被写体の被写体動画像の撮影が終了した後に、被写体動画像データを含む合成動画像データを情報記憶媒体に記憶するように構成したが、これに限らず、別の態様であってもよく、例えば、被写体の被写体動画像を撮影している際に、被写体動画像データを含む合成動画像データを情報記憶媒体に記憶するように構成してもよい。この場合においては、例えば、上述した実施形態におけるステップＳ２６とステップＳ２７との間に、ステップＳ３４を実行するように構成する。このように構成することによって、被写体動画像を撮影している間に、情報記憶媒体に合成動画像データなどを記憶することができ、待ち時間を短縮することができ、簡便である。
【００９０】
また、本実施形態においては、情報記憶媒体と別体の印刷媒体を排出するように構成したが、これに限らず、別の態様であってもよく、例えば、情報記憶媒体の表面に、合成動画像に含まれる一つ以上の静止画像を印刷するように構成してもよい。つまり、情報記憶媒体に上述した静止画像を印刷する印刷手段を備えるように構成してもよい。
【００９１】
尚、本実施形態においては、ネットワーク上のサーバなどとの間で通信しないような構成であったが、これに限らず、ネットワーク上におけるサーバなどと通信可能に構成してもよい。例えば、図１５に示す画像撮影システム２００のように、画像撮影装置１０Ａから１０ＣがネットワークＮＴと接続される。ネットワークＮＴには、サーバ２１０、端末装置２２０が接続されている。
【００９２】
画像撮影装置１０Ａは、上述した構成の他に、ネットワークＮＴ上におけるサーバ２１０と通信可能な通信装置（図示せず）を備えたものである。また、画像撮影装置１０Ａにおいて、ＣＰＵ１０２は、生成された合成動画像データ、通信装置を介して、合成音声データを、例えば、タッチパネル１２２などの操作に応じて送信する。つまり、画像撮影装置１０Ａは、合成された合成動画像データなどを、サーバ２１０に対して送信する送信手段を有することとなる。このように構成することによって、サーバに合成画像データを送信することができるので、例えば、その他の端末装置などから閲覧可能となるなど、画像撮影装置のみならず、利用範囲を広げることができ、簡便である。
【００９３】
サーバ２１０は、その合成動画像データ、合成音声データを一般に公開する。具体的には、サーバ２１０は、端末装置２２０の要求に応じて、合成動画像データ、合成音声データを送信する。このように構成することによって、例えば、企業の面接、オーディションなど、多種多様の募集情報を提供することができる。もちろん、サーバ２１０は、端末装置２２０の要求に応じて、合成動画像データ、合成音声データを送信した場合には、端末装置２２０に対応する課金情報を更新する課金手段を備えるように構成してもよい。
【００９４】
以上、本発明の実施形態を説明したが、具体例を例示したに過ぎず、特に本発明を限定するものではない。すなわち、本発明は、主に、被写体を収容する撮影スペースを有する撮影ブースと、前記撮影スペースにおける被写体の動画像を撮影する撮影手段と、前記撮影スペースにおける音声を収集する音声収集手段と、所定の背景動画像データと所定の前景動画像データとが予め記憶されている装飾画像データ記憶手段と、前記撮影手段によって撮影された被写体動画像と、前記装飾画像データ記憶手段に予め記憶されている前記背景動画像データ及び前記前景動画像データとに基づいて、合成動画像データを生成する動画像合成手段と、前記動画像合成手段によって生成された前記合成動画像データと、前記音声収集手段によって収集された収集音声に基づく収集音声データとを同期させて、コンピュータによって読み取り可能な情報記憶媒体に記憶する記憶媒体記憶手段と、前記動画像合成手段によって合成された合成動画像データに含まれる少なくとも１つの静止画像データに基づく静止画像を、前記情報記憶媒体に貼り付け可能な印刷媒体に印刷する印刷手段と、前記情報記憶媒体と前記印刷媒体とを排出する排出手段とを備えたことを特徴とするものであるが、撮影スペース、撮影ブース撮影手段、音声収集手段、装飾画像データ記憶手段、動画像合成手段、記憶媒体記憶手段、印刷手段、排出手段、合成動画像表示手段、操作手段、装飾動画像選択手段、装飾音声データ記憶手段、音声合成手段、サーバ、送信手段などの具体的構成は、適宜設計変更可能である。
【００９５】
尚、本発明の実施形態に記載された効果は、本発明から生じる最も好適な効果を列挙したに過ぎず、本発明による効果は、本発明の実施形態に記載されたものに限定されるものではない。
【図面の簡単な説明】
【００９６】
【図１】本発明の一実施形態の画像撮影装置を示す概観図である。
【図２】本発明の一実施形態の画像撮影装置における撮影部を示す側面図である。
【図３】本発明の一実施形態の画像撮影装置において構成される主制御回路及び副制御回路を示すブロック図である。
【図４】本発明の一実施形態の画像撮影装置において排出される情報記憶媒体を示す説明図である。
【図５】本発明の一実施形態の画像撮影装置において提供される情報記憶媒体、印刷媒体を示す説明図である。
【図６】本発明の一実施形態の画像撮影装置において表示される表示画面を示す説明図である。
【図７】本発明の一実施形態の画像撮影装置において表示される表示画面を示す説明図である。
【図８】本発明の一実施形態の画像撮影装置において表示される表示画面を示す説明図である。
【図９】本発明の一実施形態の画像撮影装置において表示される表示画面を示す説明図である。
【図１０】本発明の一実施形態の画像撮影装置において表示される表示画面を示す説明図である。
【図１１】本発明の一実施形態の画像撮影装置において表示される表示画面を示す説明図である。
【図１２】本発明の一実施形態の画像撮影装置において実行される制御処理を示すフローチャートである。
【図１３】本発明の一実施形態の画像撮影装置において実行される制御処理を示すフローチャートである。
【図１４】本発明の一実施形態の画像撮影装置において実行される制御処理を示すフローチャートである。
【図１５】本発明の一実施形態の画像撮影システムを示すブロック図である。
【符号の説明】
【００９７】
１０    画像撮影装置
４６    ＣＣＤビデオカメラ
４８    ＣＲＴモニタ
１００  制御装置
１０２  ＣＰＵ
１１２  ハードディスクドライブ
１１４  ＤＶＤ−Ｒドライブ
１２６  画像加工制御装置
１３６  音声制御装置
１３８  集音マイク
１４０  プリンタ
２００    画像撮影システム
２１０    サーバ
２２０    端末装置
ＮＴ    ネットワーク
【図１】
2005223513.tif 000003
【図２】
2005223513.tif 000004
【図３】
2005223513.tif 000005
【図４】
2005223513.tif 000006
【図５】
2005223513.tif 000007
【図６】
2005223513.tif 000008
【図７】
2005223513.tif 000009
【図８】
2005223513.tif 000010
【図９】
2005223513.tif 000011
【図１０】
2005223513.tif 000012
【図１１】
2005223513.tif 000013
【図１２】
2005223513.tif 000014
【図１３】
2005223513.tif 000015
【図１４】
2005223513.tif 000016
【図１５】
2005223513.tif 000017